(57)【要約】【課題】例えば、皮膚アレルギーテストが必要な医薬品等であって、複数の剤を１箱中に収容したセット製品において、パッチテスト用に２剤を混合するためのパッチテスト用ツールを、消費者の目に留まり易い方法で、低コストに付帯させる。【解決手段】互いに混合して皮膚に適用する複数の剤がそれぞれ充填された各容器を収容する箱１Ａにおいて、パッチテスト用に複数の剤を混合するための凹み１０Ａを箱１Ａの面材表面に設ける。【選択図】    図１
2004210352.tif 000002
【特許請求の範囲】
【請求項１】
互いに混合して皮膚に適用する複数の剤がそれぞれ充填された各容器を収容する箱であって、パッチテスト用に複数の剤を混合するための凹みが箱の面材表面に設けられている箱。
【請求項２】
凹みが、エンボス加工により形成されている請求項１記載の箱。
【請求項３】
複数の剤を混合するための撹拌棒となる細片を箱の面材から切り取ることができるように、箱の面材にミシン目が設けられている請求項１又は２記載の箱。
【請求項４】
複数の剤を互いに混合して用いる毛髪化粧料の各剤がそれぞれ充填された複数の容器が、請求項１〜３のいずれかに記載の箱に収容されてなる毛髪化粧品。
【発明の詳細な説明】
【０００１】
【発明の属する技術分野】
本発明は、複数剤式ヘアカラーを構成する複数の剤を収容する箱であって、例えば、２剤式ヘアカラーを構成する第１剤と第２剤を収容する箱であって、パッチテスト用ボードの機能を備えた箱に関する。
【０００２】
【従来の技術】
第１剤と第２剤からなる２剤式ヘアカラーや３種類の剤からなる３剤式ヘアカラーは、そのヘアカラーを構成する２剤または３剤を１箱中に収容したセット製品として市販されている。
【０００３】
一方、薬事法により、ヘアカラー等の皮膚に直接塗布する化粧品には、皮膚に塗布する前に毎回パッチテストを行うことが必要である旨の表示が義務づけられている。
【０００４】
そこで、２剤または３剤を１箱中に収容した２剤式染毛剤や３剤式染毛剤の製品においては、パッチテスト用に２剤または３剤を混合するためのパッチテスト用ボードを、製品の付属品として、塗布具、綿棒、ビニール手袋、使用説明書等と共に箱内に梱包することが行われている（特許文献１）。
【０００５】
【特許文献１】特開２００２−２５３３３２号
【０００６】
【発明が解決しようとする課題】
しかしながら、パッチテスト用ボードを付属品として製品に梱包することは、製品のコストアップをもたらす。
【０００７】
また、付属品への意識は消費者によって異なるため、パッチテスト用ボードが消費者の目に留まることなく廃棄される場合もある。
【０００８】
これに対し、本発明は、第１剤と第２剤からなる２剤式ヘアカラーや３剤式ヘアカラー等の複数剤からなるヘアカラー等の２剤または３剤等を１箱中に収容したセット製品や皮膚アレルギーテストを使用前に必要とする医薬品、医薬部外品等において、パッチテスト用に２剤または３剤等を混合するためのパッチテスト用ツールを、消費者の目に留まり易い方法で、低コストに付帯させることを目的とする。
【０００９】
【課題を解決するための手段】
本発明者は、複数の剤を収容する箱の面材表面に、パッチテスト用に複数の剤を混合するための凹みを形成することにより、箱自体にパッチテスト用ボードの機能を低コストに作り込めること、また、これによりパッチテストに関する表示を消費者の目に留まり易くすることができることを見出した。
【００１０】
即ち、本発明は、互いに混合して皮膚に適用する第１剤と第２剤等の複数の剤がそれぞれ充填された各容器を収容する箱であって、パッチテスト用に複数の剤を混合するための凹みが箱の面材表面に設けられている箱を提供する。
【００１１】
ここで、箱の面材表面とは、紙を構成する加工紙、積層紙等の板状材料の表面をいう。
【００１２】
また、本発明は、複数の剤を互いに混合して用いる毛髪化粧料の各剤がそれぞれ充填された複数の容器が、上述の箱に収容されてなる毛髪化粧品を提供する。
【００１３】
【発明の実施の形態】
以下、図面を参照しつつ本発明を詳細に説明する。なお、各図中、同一符号は同一又は同等の構成要素を表している。
【００１４】
図１は、本発明の一実施例の箱１Ａの斜視図である。この箱１Ａは、２剤式ヘアカラーを構成する第１剤と第２剤をセット製品として収容する箱であって、Ｂ式底クラッシュロックタイプの場合として図３（ａ）の展開図を有する板紙を組み立てることにより作製される。図３（ｂ）は、箱１Ａの内フラップ２の断面図（ｂ）である。
【００１５】
箱１Ａの２つの内フラップ２、３のうち一方の内フラップ２には、パッチテスト用に第１剤と第２剤の２剤を混合するための凹み１０Ａがエンボス加工により形成されている。凹み１０Ａは、直径Ｌ１  １５〜３０ｍｍ、深さＬ２  ０．１〜０．４ｍｍとすることが好ましい。箱１Ａの側面材４と内フラップ２との間の辺には、内フラップ２を箱１Ａから容易に切り離すことができるように、ミシン目１１が形成されている。また、この内フラップ２において、凹み１０Ａの周囲には、パッチテストの方法や注意に関する説明書き１２が表示されている。
【００１６】
一方、他方の内フラップ３には、第１剤と第２剤の２剤を混合するための撹拌棒となる細片２０Ａを面材から容易に切り取ることができるように、ミシン目２１が設けられている。このようにミシン目２１によって細片２０Ａを切り取ることができるようにすると、製品の付属品として撹拌棒、綿棒、剤の吸い上げ用ストロー等を梱包することが不要となるので好ましい。
【００１７】
この箱１Ａに２剤式ヘアカラーの第１剤と第２剤が収容された製品の開封時において、消費者が箱１Ａの蓋５を開けると、内フラップ２に形成されている凹み１０Ａと説明書き１２が自ずと消費者の目に留まることとなる。したがって、消費者のパッチテストに対する意識を高めることができる。
【００１８】
パッチテストを行う際には、図２に示すように、内フラップ２と細片２０Ａをそれぞれ箱１Ａから切り離し、内フラップ２の凹み１０Ａに第１剤と第２剤の所定量を入れ、細片２０Ａでそれらを撹拌混合する。凹み１０Ａが形成されていないと２剤の少なくとも１方が液状である場合、その剤が流出してしまうので、良好に２剤を混合することができないが、この箱１Ａによれば、凹み１０Ａが形成されているので、２剤の混合が可能となる。こうして混合した２剤をパッチテスト用の混合試験剤とする。
【００１９】
パッチテストは、細片２０Ａを用いて上述の混合試験剤の適量を、例えば、腕の内側の皮膚に塗布し、４８時間程度放置し、皮膚の異常の有無を観察することにより行われる。
【００２０】
このように、この箱１Ａによれば、内フラップ２に形成されている凹み１０Ａと細片２０Ａがパッチテスト用ツールとなる。したがって、パッチテスト用ボードを付属品として製品に梱包することが不要となり、製品の低コスト化を図ることができる。
【００２１】
図４は、異なる実施例の箱１Ｂの斜視図であり、図６はその展開図である。この箱１Ｂは、内フラップ２の表面にリング状のシール１３を貼着することにより凹み１０Ｂを形成したものである。このように、本発明において２剤を混合するための凹みは、箱の面材表面に形成する限り、特に制限はない。
【００２２】
また、この箱１Ｂには、もう一方の内フラップ３に、ミシン目２１と折れ線２２が設けられている。
【００２３】
パッチテストを行う際には、箱１Ｂから内フラップ２と細片２０Ｂを切り離し、さらに、図５のように、細片２０Ｂを折れ線２２に沿ってスプーン状に折り曲げる。こうして、内フラップ２に形成されている凹み１０Ｂとスプーン状に折り曲げた細片２０Ｂをパッチテスト用ツールとして使用する。
【００２４】
本発明の箱において、パッチテスト用に２剤を混合するための凹みを設ける部位は、内フラップに限らない。例えば図７に示す箱１Ｃのように、正面材６に凹み１０Ａを形成してもよい。この場合には、凹み１０Ａの形成部位を箱からを切り取ることなく、そのまま使用することができる。また、店頭における製品の陳列時からパッチテストに関する消費者の意識を高めることができる。
【００２５】
本発明の箱が収容する剤としては、２剤式ヘアカラー、３剤式ヘアカラー等の毛髪染毛剤の他、皮膚アレルギーテストを使用前に必要とする種々の複数剤形式の医薬品、医薬部外品等をあげることができる。
【００２６】
本発明の箱に使用する材としては、アルミ加工紙、パール紙、蒸着紙、フィルム転合紙等の加工紙、積層紙等を使用することができる。
【００２７】
【発明の効果】
本発明によれば、複数の剤を１箱中に収容したセット製品において、パッチテスト用に複数の剤を混合するためのパッチテスト用ツールを、消費者の目に留まり易い方法で、低コストに付帯させることができる。
【図面の簡単な説明】
【図１】一実施例の箱の斜視図である。
【図２】パッチテスト時に、図１の箱のパッチテスト用の凹みを用いる方法の説明図である。
【図３】図１の箱の展開図（ａ）及び断面図（ｂ）である。
【図４】他の実施例の箱の斜視図である。
【図５】パッチテスト時に、図４の箱のパッチテスト用の凹みを用いる方法の説明図である。
【図６】図４の箱の展開図である。
【図７】他の実施例の箱の斜視図である。
【符号の説明】
１Ａ、１Ｂ、１Ｃ  箱
２    内フラップ
３    内フラップ
１０Ａ、１０Ｂ    凹み
１１    ミシン目
１２    説明書き
１３    シール
２０Ａ、２０Ｂ    細片
２１    ミシン目
２２    折れ線
【図１】
2004210352.tif 000003
【図２】
2004210352.tif 000004
【図３】
2004210352.tif 000005
【図４】
2004210352.tif 000006
【図５】
2004210352.tif 000007
【図６】
2004210352.tif 000008
【図７】
2004210352.tif 000009